(57)【要約】【課題】本体部に対してドア部を移動させるための部材が摩耗した場合であっても、ドア部が本体部に対して一定の姿勢を維持できると共に、ドア部の開閉時において、ドア部が本体部に接触するような不具合が発生することを回避できる洗浄機を提供する。【解決手段】洗浄機１は、本体部側ローラ６１が初期状態から摩耗することによって正常姿勢から傾こうとするドア部７に対し接触することで、ドア部が正常姿勢から傾くことを規制する、本体部２に固定された本体部側規制部材６３と、ドア部側ローラ７３が初期状態から摩耗することによって正常姿勢から傾こうとするドア部に固定されており、本体部に接触することでドア部が正常姿勢から傾くことを規制するドア部側規制部材７５と、を備えている。【選択図】図１０
2015159995.tif 000002
【特許請求の範囲】
【請求項１】
本体部に回転可能に固定された本体部側ローラを、ドア部において第１方向に延在するドア部側転動面に接触及び転動させ、かつ、前記ドア部に回転可能に固定されたドア部側ローラを前記本体部において第２方向に延在する本体部側転動面に接触及び転動させることによって、前記第１方向が前記第２方向に平行になるドア部の正常姿勢を維持すると共に前記本体部に設けられた洗浄室の開閉を可能とする洗浄機であって、
前記本体部側ローラが初期状態から摩耗することによって前記正常姿勢から傾こうとする前記ドア部に対し接触することで、前記ドア部が前記正常姿勢から傾くことを規制する、前記本体部に固定された本体部側規制部材と、
前記ドア部側ローラが初期状態から摩耗することによって前記正常姿勢から傾こうとする前記ドア部に固定されており、前記本体部に接触することで前記ドア部が前記正常姿勢から傾くことを規制する、ドア部側規制部材と、
を備えている、洗浄機。
【請求項２】
前記正常姿勢において、前記本体部側規制部材と前記ドア部との間の距離は、前記本体部側ローラと前記ドア部との間の距離よりも長く、かつ、前記ドア部側規制部材と前記本体部との間の距離は、前記ドア部側ローラと前記本体部との間の距離よりも長い、
請求項１に記載の洗浄機。
【請求項３】
前記本体部側規制部材は、前記本体部に回転自在に設けられたローラ、又は、前記本体部から前記ドア部に向かって突出する突出部材であり、
前記ドア部側規制部材は、前記ドア部に回転自在に設けられたローラ、又は、前記ドア部から前記本体部に向かって突出する突出部材である、
請求項１に記載の洗浄機。
【請求項４】
前記本体部側規制部材としての前記突出部材は、前記ドア部との接触部が平面状に形成されているか、又は、曲面状に形成されており、
前記ドア部側規制部材としての前記突出部材は、前記本体部との接触部が平面状に形成されているか、又は、曲面状に形成されている、
請求項３に記載の洗浄機。
【請求項５】
前記本体部は、前記本体部側ローラにおける回転軸と並行方向に延在する本体部側軸部を有しており、前記本体部側規制部材としての前記突出部材は、前記本体部側軸部に貫通されると共に前記本体部側軸部に固定され、
前記ドア部は、前記ドア部側ローラにおける回転軸と並行方向に延在するドア部側軸部を有しており、前記ドア部側規制部材としての前記突出部材は、前記ドア部側軸部に貫通されると共に前記ドア部側軸部に固定されている、
請求項３又は４に記載の洗浄機。
【発明の詳細な説明】
【技術分野】
【０００１】
本発明は、本体部に対してドア部を移動させることで、本体部側に設けられた洗浄室の開閉が行われる洗浄機に関する。
【背景技術】
【０００２】
本体部の洗浄室に食器類を収容した食器類を洗浄する洗浄機が知られている。このような洗浄機の中には、例えば、特許文献１（特開平６−１４２０２８号公報）に記載されたような、ドア部の前面に取り付けられたハンドルを手で握って上げ下げすることにより、本体部に設けられた洗浄室を開閉することができる構成の洗浄機がある。この洗浄機では、本体部の上方に設けられると共にドア部に接触する本体部側ローラと、ドア部の下方に設けられると共に本体部に接触するドア部側ローラと、が設けられており、本体部に対してドア部が移動可能になると共に、ドア部が本体部に対して一定の姿勢に維持される。
【先行技術文献】
【特許文献】
【０００３】
【特許文献１】特開平６−１４２０２８号公報
【発明の概要】
【発明が解決しようとする課題】
【０００４】
このような洗浄機では、本体部側ローラ及び／又はドア部側ローラが、長期的な使用により摩耗する場合がある。本体部側ローラ及び／又はドア部側ローラが摩耗するとローラの外径が小さくなり、ドア部において上述したような一定の姿勢が維持できなくなるおそれがある。また、一定の姿勢が維持できなくなると、ドア部の開閉時において、ドア部の一部が通常接触しないはずの本体部の一部と接触し、ドア部が開閉できなくなったり、互いの接触箇所が損傷したりするなどの不具合が発生する。
【０００５】
そこで、本発明の目的は、本体部に対してドア部を移動させるための部材が摩耗した場合であっても、ドア部が本体部に対して一定の姿勢を維持できると共に、ドア部の開閉時において、ドア部が本体部に接触するような不具合が発生することを回避できる洗浄機を提供することにある。
【課題を解決するための手段】
【０００６】
本発明の一側面に係る洗浄機は、本体部に回転可能に固定された本体部側ローラを、ドア部において第１方向に延在するドア部側転動面に接触及び転動させ、かつ、ドア部に回転可能に固定されたドア部側ローラを本体部において第２方向に延在する本体部側転動面に接触及び転動させることによって、第１方向が第２方向に平行になるドア部の正常姿勢を維持すると共に本体部に設けられた洗浄室の開閉を可能とする洗浄機であって、本体部側ローラが初期状態から摩耗することによって正常姿勢から傾こうとするドア部に対し接触することで、ドア部が正常姿勢から傾くことを規制する、本体部に固定された本体部側規制部材と、ドア部側ローラが初期状態から摩耗することによって正常姿勢から傾こうとするドア部に固定されており、本体部に接触することでドア部が正常姿勢から傾くことを規制する、ドア部側規制部材と、を備えている。
【０００７】
この構成の洗浄機では、本体部側ローラが初期状態から摩耗した場合であっても、本体部に固定された本体部側規制部材がドア部に対し接触することで、ドア部が正常姿勢から傾くことを規制する。言い換えれば、本体部側ローラが初期状態から摩耗した場合であっても、ドア部は、本体部に対して一定の姿勢（正常姿勢）が維持される。この結果、ドア部の開閉時において、ドア部が本体部に接触するような不具合が発生することを回避できる。また、この構成の洗浄機では、ドア部側ローラが初期状態から摩耗した場合であっても、ドア部に固定されたドア部側規制部材が本体部に接触することで、ドア部が正常姿勢から傾くことを規制する。言い換えれば、ドア部側ローラが初期状態から摩耗した場合であっても、ドア部は、本体部に対して一定の姿勢（正常姿勢）が維持される。この結果、ドア部の開閉時において、ドア部が本体部に接触するような不具合が発生することを回避できる。
【０００８】
なお、ここでいう「正常姿勢からの傾き」とは、ドア部の開閉時において「ドア部が本体部に接触するような不具合が発生する程度の傾き」を含む概念であり、本体部側規制部材及びドア部側規制部材は、上記のような不具合が発生しない程度の傾きを許容してもよい場合も含む。
【０００９】
また、一実施形態において、正常姿勢において、本体部側規制部材とドア部との距離は、本体部側ローラとドア部との距離よりも長く、かつ、ドア部側規制部材と本体部との距離は、ドア部側ローラと本体部との距離よりも長くしてもよい。
【００１０】
この構成の洗浄機では、本体部側ローラが初期状態から所定量摩耗した場合に、本体部側規制部材がドア部に接触する。また、この構成の洗浄機では、ドア部側ローラが初期状態から所定量摩耗した場合に、ドア部側規制部材が本体部に接触する。これにより、ドア部が正常姿勢から所定角度以上傾くことを回避することができる。
【００１１】
また、一実施形態において、本体部側規制部材は、本体部に回転自在に設けられたローラ、又は、本体部からドア部に向かって突出する突出部材であってもよいし、ドア部側規制部材は、ドア部に回転自在に設けられたローラ、又は、ドア部から本体部に向かって突出する突出部材であってもよい。
【００１２】
一実施形態の洗浄機は、以下に示す形態の洗浄機の構成となり得る。
（１）本体部側規制部材が本体部に回転自在に設けられたローラであり、ドア部側規制部材がドア部に回転自在に設けられたローラである。
（２）本体部側規制部材が本体部に回転自在に設けられたローラであり、ドア部側規制部材がドア部から本体部に向かって突出する突出部材である。
（３）本体部側規制部材が本体部からドア部に向かって突出する突出部材であり、ドア部側規制部材が、ドア部に回転自在に設けられたローラである。
（４）本体部側規制部材が本体部からドア部に向かって突出する突出部材であり、ドア部側規制部材が、ドア部から本体部に向かって突出する突出部材である。
【００１３】
また、一実施形態において、本体部側規制部材としての突出部材は、ドア部との接触部が平面状に形成されているか、又は、曲面状に形成されていてもよいし、ドア部側規制部材としての突出部材は、本体部との接触部が平面状に形成されているか、又は、曲面状に形成されていてもよい。
【００１４】
ここでいう接触部とは、突出部材において被接触部材（突出部材が本体部側規制部材の場合はドア部であり、ドア部側規制部材の場合は本体部である）との接触が想定される箇所も含む。接触部が平面状に形成されている突出部材は、被接触部材に接触した場合に滑り難い。このため、本体部側ローラ及び／又はドア部側ローラが初期状態から摩耗していることを、ドア部を開閉する操作者に容易に気付かせることができる。また、接触部が曲面状に形成されている突出部材は、被接触部材に接触する面積が、接触部が平面状に形成されている場合と比べて小さくなる。このため、突出部材が被接触部材に接触する際の応力が小さくなり、突出部材が被接触部材に接触した際の突出部材における損傷の発生を低減できる。
【００１５】
また、一実施形態において、本体部は、本体部側ローラにおける回転軸と並行方向に延在する本体部側軸部を有しており、本体部側規制部材としての突出部材は、本体部側軸部に貫通されると共に本体部側軸部に固定され、ドア部は、ドア部側ローラにおける回転軸と並行方向に延在するドア部側軸部を有しており、ドア部側規制部材としての突出部材は、ドア部側軸部に貫通されると共にドア部側軸部に固定されていてもよい。
【００１６】
この構成の洗浄機では、突出部材と被接触部材（突出部材が本体部側規制部材の場合はドア部であり、ドア部側規制部材の場合は本体部である。）とが接触した際に発生する応力を、突出部材と軸部（突出部材が本体部側規制部材の場合は本体部側軸部であり、突出部材がドア部側規制部材の場合はドア部側軸部である。）とが接触する部分全体で受けることができる。これにより、突出部材の固定部分の特定箇所に応力が集中することがなくなる。更に、この構成の洗浄機では、突出部材における被接触部材との接触部とは反対側の端面を固定部分とする場合と比べ、突出部材における被接触部材との接触部から固定部分までの距離を短くできるので、固定部分にかかる応力を小さくできる。この結果、突出部材が被接触部材に接触した際の、突出部材の固定部分における損傷の発生を低減できる。
【発明の効果】
【００１７】
本発明によれば、本体部に対してドア部を移動させるための部材が摩耗した場合であっても、ドア部が本体部に対して一定の姿勢を維持できると共に、ドア部の開閉時において、ドア部が本体部に接触するような不具合が発生することを回避できる。
【図面の簡単な説明】
【００１８】
【図１】第１実施形態に係る食器洗浄機を示す斜視図である。
【図２】第１実施形態に係る食器洗浄機の概略構成を示す断面図である。
【図３】ドア部を下方から見た斜視図である。
【図４】ドア部の下端を拡大した斜視図である。
【図５】図１に示す本体フレーム（図１に示すＶ−Ｖ線）の断面図である。
【図６】図５に示す本体フレームの下端部における断面図である。
【図７】図５に示す本体フレームの上端部における断面図である。
【図８】図５に示す本体フレームに固定される取付部材の斜視図である。
【図９】従来の食器洗浄機を説明するために食器洗浄機を簡略化して示した説明図である。
【図１０】第１実施形態の食器洗浄機の作用効果を説明するために食器洗浄機を簡略化して示した説明図である。
【図１１】第２実施形態に係る食器洗浄機を説明するために食器洗浄機を簡略化して示した説明図である。
【図１２】図１１に示すドア部の下端を拡大した斜視図である。
【図１３】図１１に示す本体部に固定される取付部材の斜視図である。
【図１４】図１１に示す本体部側突出部材及びドア部側突出部材の固定方法を説明するための斜視図である。
【図１５】第３実施形態に係る食器洗浄機を説明するために簡略化して示した説明図である。
【図１６】図１５に示す本体部側規制部材及びドア部側規制部材の固定方法を説明するための斜視図である。
【発明を実施するための形態】
【００１９】
以下、図面を参照して第１及び第２実施形態に係る食器洗浄機について説明する。図面の説明において、同一要素には同一符号を付し、重複する説明を省略する。図面の寸法比率は、説明のものと必ずしも一致していない。
【００２０】
〔第１実施形態〕
第１実施形態に係る食器洗浄機（洗浄機）１ついて、主に図１〜図１０を参照しながら説明する。図１及び図２に示すように、食器洗浄機１は、ステンレス製のパネルで覆われた本体部２を有している。図１に示すように、本体部２は、洗浄室３が形成された上側部分２Ａと、機械室４が形成された下側部分２Ｂとに仕切られている。
【００２１】
本体部２は、支柱５を有している。支柱５は、本体部２の背面側におけるコーナ部に配置され、上側部分２Ａと下側部分２Ｂとに渡って上下方向に延びている。本体部２の上側部分２Ａには、洗浄室３の開閉を行うための箱型のドア部７が設けられている。ドア部７は、本体部２に対し、支柱５が延在する方向に沿って上下方向に移動可能に設けられている。本体部２に対し、ドア部７を上下方向に移動可能にする構成については後段にて詳述する。
【００２２】
ハンドル８Ａの両端には左右一対の回動アーム８Ｂ，８Ｂの先端が固定され、各回動アーム８Ｂ，８Ｂはドア部７の側面７２Ａに沿って斜めに配置されている。各回動アーム８Ｂ，８Ｂの一端は、支柱５に回動可能に固定されている。各回動アーム８Ｂ，８Ｂには、ドア部７の側面７２Ａに配置されたリンク部８Ｃの一端が回動自在に連結され、リンク部８Ｃの他端は、軸ピンを介してドア部７に連結されている（以下、この連結部を「支点８Ｄ」と称す。）。これにより、ハンドル８Ａの回動運動に対してドア部７が上下運動をする。
【００２３】
本体部２の底面の四隅には脚部９が取り付けられており、食器洗浄機１の安定した設置が可能となっている。
【００２４】
洗浄室３内には、ラックレール１１が着脱自在に配置されており、このラックレール１１上に、飲食後の皿や茶碗等の食器が並べられた格子状の食器ラックが載置される。洗浄室３の上部には、放射状に延びる３本のアームからなる上側洗浄ノズル１２Ａと、２本のアームからなる上側すすぎノズル１３Ａとがそれぞれ回転自在に配置されている。同様に、洗浄室３の下部には、放射状に延びる３本のアームからなる下側洗浄ノズル１２Ｂと、２本のアームからなる下側すすぎノズル１３Ｂとがそれぞれ回転自在に配置されている。食器ラックに並べられた食器は、上側及び下側洗浄ノズル１２Ａ，１２Ｂによって上下から洗浄水が噴射され、すすぎノズル１３Ａ，１３Ｂによって上下からすすぎ水が噴射される。
【００２５】
このように構成された洗浄室３の底部には、機械室４内に突出するように洗浄水タンク１５が設けられている。洗浄室３と洗浄水タンク１５との間には、フィルタ１８が着脱自在に配置されている。洗浄水タンク１５の前面には、洗浄水吸込口を介して洗浄ポンプ２３が接続されている。洗浄ポンプ２３の吐出口には洗浄水吐出管２１が接続されている。洗浄水吐出管２１は、第１洗浄水吐出管２１Ａと第２洗浄水吐出管２１Ｂとに分岐して、第１洗浄水吐出管２１Ａは上側洗浄ノズル１２Ａに接続され、第２洗浄水吐出管２１Ｂは下側洗浄ノズル１２Ｂに接続されている。
【００２６】
また、機械室４内には、外部から給水管（図示せず）を介してすすぎ水が供給されるすすぎ水タンク２５が配置されている。すすぎ水タンク２５には、すすぎ水吸込管２９を介してすすぎポンプ２７が接続されている。すすぎポンプ２７の吐出口にはすすぎ水吐出管３１が接続されている。すすぎ水吐出管３１は、第１すすぎ水吐出管３１Ａと第２すすぎ水吐出管３１Ｂとに分岐して、第１すすぎ水吐出管３１Ａは上側すすぎノズル１３Ａに接続され、第２すすぎ水吐出管３１Ｂは下側すすぎノズル１３Ｂに接続されている。
【００２７】
また、機械室４内には、食器洗浄機１の動作全般を制御するマイクロコンピュータ（図示せず）が内蔵された電装ボックス（図示せず）などが収容されている。
【００２８】
次に、本体部２に対し、ドア部７を上下方向に移動可能にする構成について詳述する。最初に、図３及び図４を用いてドア部７について説明する。図３に示すように、ドア部７は、上下方向に延在するドアフレーム７１と、両側面７２Ａ，７２Ａ、前面７２Ｂ及び上面７２Ｃを覆う板状部材によって形成された筐体部７２と、を有している。ドアフレーム７１は、筐体部７２のコーナ部に固定されている。図４に示すように、背面側に配置される２本のドアフレーム７１，７１のそれぞれの下端には、第１ドア部側ローラ（ドア部側ローラ）７３と、第２ドア部側ローラ（ドア部側規制部材）７５と、第３ドア部側ローラ７７と、がそれぞれ回転可能に固定されている。
【００２９】
ドアフレーム７１，７１は、筐体部７２に固定される筐体固定部７１Ａと、後述する第１本体部側ローラ（本体部側ローラ）６１（図７参照）が転動するドア部側転動面７６を形成するフレーム本体部７１Ｂと、第１ドア部側ローラ７３を固定するためのローラ固定部７１Ｃ，７１Ｄと、第３ドア部側ローラ７７を固定するためのローラ固定部７１Ｅと、を有している。ローラ固定部７１Ｃ，７１Ｄは、互いに対向するように設けられている。ローラ固定部７１Ｅは、ローラ固定部７１Ｄから折り曲げられるようにして形成されている。
【００３０】
第１ドア部側ローラ７３は、ローラ固定部７１Ｃ，７１Ｄに固定された軸部７４Ａに回転可能に配置されている。すなわち、第１ドア部側ローラ７３は、ドア部７に対して回転可能に固定されている。第１ドア部側ローラ７３は、後述する、本体部２に含まれる第２フレーム５３の第３ガイド部５４Ｃに形成された上下方向（第２方向）に延在する本体部側転動面５５（図５及び６参照）に沿って転動する。
【００３１】
第２ドア部側ローラ７５は、第１ドア部側ローラ７３の配置位置のやや上方の隣接した位置であって、ローラ固定部７１Ｃ，７１Ｄに固定された軸部７４Ｂに回転可能に配置されている。第２ドア部側ローラ７５は、第１ドア部側ローラ７３に対して少なくとも１つ設けられ、第１ドア部側ローラ７３と対にして設けられる。第２ドア部側ローラ７５は、第１ドア部側ローラ７３が初期状態から摩耗することによって正常姿勢から傾こうとするドア部７に固定されており、本体部２に接触することでドア部７が正常姿勢から傾くことを規制する。
【００３２】
第３ドア部側ローラ７７は、フレーム本体部７１Ｂとローラ固定部７１Ｅとに固定された軸部７４Ｃに回転可能に配置されている。第３ドア部側ローラ７７は、後述する第２フレーム５３に形成されたガイド部５４における第２ガイド部５４Ｂ及び第４ガイド部５４Ｄに接触するように設けられており（図６参照）、ドア部７の左右方向への移動を規制する。
【００３３】
次に、図５〜図８を用いて、本体部２における上側部分２Ａの背面部分（本体フレーム５０）について説明する。図５に示すように、本体部２は、上述した支柱５の他に本体フレーム５０、すなわち、第１フレーム５１、第２フレーム５３及び背面パネル５７を有している。第１フレーム５１は、一部が角筒状に形成された部材である。第１フレーム５１は、上側部分２Ａの一部を形成する支柱５を内挿するように配置されており、その角筒部に内挿された支柱５に固定されている。
【００３４】
第２フレーム５３は、第１フレーム５１に固定される部分である第２フレーム本体部５３Ａと、図５〜図７に示すように、上述したドアフレーム７１が配置されるガイド部５４と、を有している。ガイド部５４は、３箇所の直角折曲部によって形成されており、ドアフレーム７１が配置された際にフレーム本体部７１Ｂと対向する第１ガイド部５４Ａと、第３ドア部側ローラ７７が転動する転動面を形成する第２ガイド部５４Ｂ及び第４ガイド部５４Ｄと、フレーム本体部７１Ｂと対向すると共に第１ドア部側ローラ７３が転動する本体部側転動面５５を形成する第３ガイド部５４Ｃと、を有している。
【００３５】
第２フレーム５３の上端部近傍には、図８に示すような取付部材５９を介して第１本体部側ローラ６１、第２本体部側ローラ（本体部側規制部材）６３及び第３本体部側ローラ６５が設けられている。取付部材５９は、第２フレーム５３における第２ガイド部５４Ｂ（図７参照）に固定される固定部５９Ａと、第１本体部側ローラ６１及び第２本体部側ローラ６３を固定するためのローラ固定部５９Ｂ，５９Ｄと、第２フレーム５３における第１ガイド部５４Ａに接するように設けられる支持部５９Ｃと、第３本体部側ローラ６５を固定するためのローラ固定部５９Ｅと、を有している。
【００３６】
図８に示すように、第１本体部側ローラ６１は、取付部材５９におけるローラ固定部５９Ｂ，５９Ｄに固定された軸部６２Ａに回転可能に設けられた状態で、本体部２に含まれる第２フレーム５３に固定される。すなわち、第１本体部側ローラ６１は、本体部２に対して回転可能に固定されている。第１本体部側ローラ６１は、ドア部７に含まれるドアフレーム７１に形成された上下方向（第１方向）に延在するドア部側転動面７６に沿って転動する。
【００３７】
第２本体部側ローラ６３は、取付部材５９におけるローラ固定部５９Ｂ，５９Ｄに固定された軸部６２Ｂに回転可能に設けられた状態で、本体部２に含まれる第２フレーム５３に固定される。第２本体部側ローラ６３は、本体部２に含まれる第２フレーム５３に固定された際には、第１本体部側ローラ６１の配置位置のやや下方の隣接した位置に配置される。第２本体部側ローラ６３は、第１本体部側ローラ６１に対して少なくとも１つ設けられ、第１本体部側ローラ６１と対にして設けられる。第２本体部側ローラ６３は、第１本体部側ローラ６１が初期状態から摩耗することによって正常姿勢から傾こうとするドア部７に対し接触することで、ドア部７が正常姿勢から傾くことを規制する。
【００３８】
第３本体部側ローラ６５は、ローラ固定部５９Ｅに固定された軸部６２Ｃに回転可能に設けられた状態で、本体部２に含まれる第２フレーム５３に固定される。第３本体部側ローラ６５は、図７に示すように、ドアフレーム７１におけるローラ固定部７１Ｃ及びローラ固定部７１Ｄに接触するように設けられており、ドア部７の左右方向への移動を規制する。
【００３９】
図５に示すように、背面パネル５７は、第２フレーム５３に取り付けられており、本体部２の上側部分２Ａの背面を覆っている。背面パネル５７の一部は、第２フレーム５３に形成されるガイド部５４の第２ガイド部５４Ｂ、第３ガイド部５４Ｃ及び第４ガイド部５４Ｄに沿うように形成されている。
【００４０】
第１実施形態の食器洗浄機１では、第１本体部側ローラ６１とドア部側転動面７６とが接触している。また、第１ドア部側ローラ７３と本体部側転動面５５とが接触している。ドア部７の重心は、ハンドル８Ａに連結される支点８Ｄの位置よりも後方となるように形成されている。これにより、ドアフレーム７１に形成されるドア部側転動面７６の延在方向が、本体部２に形成される本体部側転動面５５に平行になるようなドア部７の姿勢（正常姿勢）が維持される。
【００４１】
また、第１実施形態の食器洗浄機１では、第２フレーム５３に取付部材５９を介して回転可能に固定された第１本体部側ローラ６１を、ドアフレーム７１に形成される上下方向に延在するドア部側転動面７６に沿って転動させている。また、ドアフレーム７１に回転可能に固定された第１ドア部側ローラ７３を、第２フレーム５３に形成される上下方向に延在する本体部側転動面５５に沿って転動させている。この構成により、ハンドル８Ａを上方へ操作すると、支点８Ｄ及び第１ドア部側ローラ７３もその動きに追随し、ドア部７が上昇する。第１本体部側ローラ６１は、ドア部７が上昇するのを本体部２における本体フレーム５０の上方にて支持している。これにより、本体部２に設けられた洗浄室３の開閉が可能となる。
【００４２】
第１実施形態の食器洗浄機１では、ドア部７が正常姿勢に維持されている際の、第２本体部側ローラ６３とドア部７との距離が、第１本体部側ローラ６１とドア部７との距離よりも長く設定されている。具体的には、図８に示すように、正常姿勢にあるときのドア部７を二転鎖線で示したとき、第２本体部側ローラ６３とドア部７との距離はＬ１（＞０）であり、第１本体部側ローラ６１とドア部７との距離は０である。
【００４３】
また、第１実施形態の食器洗浄機１では、ドア部７が正常姿勢に維持されている際の、第２ドア部側ローラ７５と本体部２（第２フレーム５３）との距離が、第１ドア部側ローラ７３と本体部２（第２フレーム５３）との距離よりも長く設定されている。具体的には、図４に示すように、正常姿勢にあるときのドア部７を二転鎖線で示したとき、第２ドア部側ローラ７５と本体部２との距離はＬ２（＞０）であり、第１ドア部側ローラ７３と本体部２との距離は０である。
【００４４】
次に、図９（Ａ）、図９（Ｂ）、図１０（Ａ）及び図１０（Ｂ）を用いて上記実施形態の食器洗浄機１における作用効果について説明する。図９（Ａ）及び図９（Ｂ）は、従来の食器洗浄機３０１を説明するために、食器洗浄機３０１を簡略化して示した図である。図１０（Ａ）及び図１０（Ｂ）は、第１実施形態の食器洗浄機１の作用効果を説明するために、食器洗浄機１を簡略化して示した図である。
【００４５】
最初に、従来の食器洗浄機３０１の課題について説明する。図９（Ａ）に示すように、ドア部３０７を本体部側ローラ３６１に接触させると共に、ドア部側ローラ３７３を本体部３０２に接触させた時に、ドア部３０７が正常姿勢を維持すると共にドア部３０７が上下方向に移動可能な構成の食器洗浄機３０１では、本体部側ローラ３６１及びドア部側ローラ３７３の少なくとも一方のローラが、初期状態から摩耗すると、図９（Ｂ）に示すように、ドア部３０７が傾いてしまうおそれがある。そして、ドア部３０７が傾くと、例えば、Ｍ１部及びＭ２部のように、ドア部３０７の一部が本体部３０２の一部に接触し、ドア部７が開閉しなくなったり、ドア部３０７及び本体部３０２の少なくとも一方が損傷したりする場合がある。
【００４６】
上記実施形態の食器洗浄機１では、図１０（Ａ）に示すように、第１本体部側ローラ（本体部側ローラ）６１が初期状態から摩耗することによって正常姿勢から傾こうとするドア部７に対し接触することで、ドア部７が正常姿勢から傾くことを規制する、本体部２に固定された第２本体部側ローラ（本体部側規制部材）６３と、第１ドア部側ローラ（ドア部側ローラ）７３が初期状態から摩耗することによって正常姿勢から傾こうとするドア部７に固定されており、本体部２に接触することでドア部７が正常姿勢から傾くことを規制する第２ドア部側ローラ（ドア部側規制部材）７５と、を備えている。
【００４７】
この構成の食器洗浄機１では、第１本体部側ローラ６１が初期状態から摩耗した場合であっても、図１０（Ｂ）に示すように、本体部２に固定された第２本体部側ローラ６３がドア部７に接触することで、ドア部７が正常姿勢から傾くことを規制する。言い換えれば、第１本体部側ローラ６１が初期状態から摩耗した場合であっても、ドア部７は、本体部２に対して一定の姿勢（正常姿勢）が維持される。また、第１ドア部側ローラ７３が初期状態から摩耗した場合であっても、図１０（Ｂ）に示すように、ドア部７に固定された第２ドア部側ローラ７５が本体部２に接触することで、ドア部７が正常姿勢から傾くことを規制する。言い換えれば、第１ドア部側ローラ７３が初期状態から摩耗した場合であっても、ドア部７は、本体部２に対して一定の姿勢（正常姿勢）が維持される。この結果、ドア部７の開閉時において、ドア部７が本体部２に接触するような不具合が発生することを回避できる。
【００４８】
また、上記実施形態の食器洗浄機１では、図１０（Ａ）に示すように、ドア部７が正常姿勢にあるとき、第２本体部側ローラ６３とドア部７との距離Ｌ１（＞０）は、第１本体部側ローラ６１とドア部７との距離（互いに接しているので０）よりも長く、かつ、第２ドア部側ローラ７５と本体部２との距離Ｌ２（＞０）は、第１ドア部側ローラ７３と本体部２との距離（互いに接しているので０）よりも長く設定されている。この構成の食器洗浄機１では、第１本体部側ローラ６１が初期状態から所定量摩耗した場合に、初めて、第２本体部側ローラ６３がドア部７に接触し、第１ドア部側ローラ７３が初期状態から所定量摩耗した場合に、初めて、第２ドア部側ローラ７５が本体部２に接触する。言い換えれば、第１本体部側ローラ６１及び第１ドア部側ローラ７３が初期状態から所定量摩耗することを許容している。これにより、ドア部７が正常姿勢から所定角度以上傾くことを回避することができる。この結果、ドア部７が正常姿勢から所定角度以上傾くことによって、ドア部７の一部が本体部２の一部に接触し、ドア部７及び本体部２の少なくとも一方が損傷することを防止できる。
【００４９】
なお、図１０（Ａ）に示すように、ドア部７が正常姿勢にあるとき、第２本体部側ローラ６３とドア部７との距離Ｌ１及び第２ドア部側ローラ７５と本体部２との距離Ｌ２は、ドア部７の一部が本体部２の一部に接触しないように、適宜設定することができる。
【００５０】
〔第２実施形態〕
次に、第２実施形態に係る食器洗浄機（洗浄機）１Ａについて、主に図１１〜図１４を参照しながら説明する。図１１に示すように、第２実施形態に係る食器洗浄機１Ａが第１実施形態の食器洗浄機１と異なる点は、第２本体部側ローラ６３の代わりに本体部側突出部材（本体部側規制部材）１６３が設けられ、第２ドア部側ローラ７５の代わりにドア部側突出部材（ドア部側規制部材）１７５が設けられ点である。ここでは、本体部側突出部材１６３及びドア部側突出部材１７５の構成について詳細に説明し、第１実施形態に係る食器洗浄機１と同様の構成についてはその説明を省略する。
【００５１】
図１２に示すように、ドア部側突出部材１７５は、ローラ固定部７１Ｃ，７１Ｄに固定された軸部１７４Ｂに固定されている。ドア部側突出部材１７５は、第１ドア部側ローラ７３が初期状態から摩耗することによって正常姿勢から傾こうとするドア部７に固定されており、本体部２に接触することでドア部７が正常姿勢から傾くことを規制する。
【００５２】
ドア部側突出部材１７５は、ドア部７から本体部２に向かって突出する突出部材であり、本体部２との接触部（接触想定部）１７５Ａが曲面状に形成されている。また、ドア部側突出部材１７５は、少なくとも本体部２との接触部１７５Ａが、ポリアセタール（ＰＯＭ）樹脂、ポリアミド（ＰＡ）樹脂、ポリテトラフルオロエチレン（ＰＴＦＥ）樹脂、ポリフェニレンサルファイド（ＰＰＳ）樹脂、エラストマー系樹脂、ポリオレフィン系樹脂、熱硬化性樹脂及びその他のスーパーエンプラなどの低摺動部材（低摩擦係数を有する部材）によって形成されている。
【００５３】
第２実施形態の食器洗浄機１Ａでは、ドア部７が正常姿勢に維持されているとき、ドア部側突出部材１７５と本体部２（第２フレーム５３）との距離が、第１ドア部側ローラ７３と本体部２（第２フレーム５３）との距離よりも長く設定されている。具体的には、図１２に示すように、正常姿勢にあるときの本体部２を二転鎖線で示したとき、ドア部側突出部材１７５と本体部２との距離はＬ４（＞０）であり、第１ドア部側ローラ７３と本体部２との距離は０である。
【００５４】
図１４に示すように、本体部側突出部材１６３は、取付部材５９におけるローラ固定部５９Ｂ，５９Ｄに固定された軸部１６２Ｂに固定された状態で、本体部２に含まれる第２フレーム５３に固定される。本体部側突出部材１６３は、第１本体部側ローラ６１が初期状態から摩耗することによって正常姿勢から傾こうとするドア部７に対し接触することで、ドア部７が正常姿勢から傾くことを規制する。
【００５５】
本体部側突出部材１６３は、本体部２からドア部７に向かって突出する突出部材であり、ドア部７との接触部（接触想定部）１６３Ａが曲面状に形成されている。また、本体部側突出部材１６３は、少なくともドア部７との接触部１６３Ａが、ポリアセタール（ＰＯＭ）樹脂、ポリアミド（ＰＡ）樹脂、ポリテトラフルオロエチレン（ＰＴＦＥ）樹脂、ポリフェニレンサルファイド（ＰＰＳ）樹脂、エラストマー系樹脂、ポリオレフィン系樹脂、熱硬化性樹脂及びその他のスーパーエンプラなどの低摺動部材（低摩擦係数を有する部材）によって形成されている。
【００５６】
第２実施形態の食器洗浄機１Ａでは、ドア部７が正常姿勢に維持されているとき、本体部側突出部材１６３とドア部７との距離は、第１本体部側ローラ６１とドア部７との距離よりも長く設定されている。具体的には、図１３に示すように、正常姿勢にあるときのドア部７を二転鎖線で示したとき、本体部側突出部材１６３とドア部７との距離はＬ３（＞０）であり、第１本体部側ローラ６１とドア部７との距離は０である。
【００５７】
ドア部７は、図１２に示すように、第１ドア部側ローラ７３における回転軸となる軸部７４Ａと並行方向に延在する軸部（ドア部側軸部）１７４Ｂを有し、ドア部側突出部材１７５は、軸部１７４Ｂを貫通される状態でドア部７に固定されている。更に詳細には、ドア部側突出部材１７５は、図１４に示すように、ドア部側突出部材１７５に設けられた貫通孔１７５Ｂに、軸部１７４Ｂが貫通された状態で固定される。軸部１７４Ｂは、ドアフレーム７１におけるローラ固定部７１Ｃ，７１Ｄに貫通された状態でピン１７４Ｃによって固定されている。
【００５８】
本体部２は、図１３に示すように、第１本体部側ローラ６１における回転軸となる軸部６２Ａと並行方向に延在する軸部（本体部側軸部）１６２Ｂを有し、本体部側突出部材１６３は、軸部１６２Ｂに貫通された状態で取付部材５９を介して本体部２に固定される。更に詳細には、本体部側突出部材１６３は、図１４に示すように、本体部側突出部材１６３に設けられた貫通孔１６３Ｂに、軸部１６２Ｂが貫通された状態で固定される。軸部１６２Ｂは、取付部材５９におけるローラ固定部５９Ｂ，５９Ｄに貫通された状態でピン１６２Ｃによって固定されている。
【００５９】
第２実施形態に係る食器洗浄機１Ａによれば、上記第１実施形態に係る食器洗浄機１が享受できる作用効果を奏することができる。
【００６０】
更に、第２実施形態の食器洗浄機１Ａでは、本体部側突出部材１６３におけるドア部７との接触部１６３Ａが曲面状に形成されているので、ドア部７に接触する面積が、接触部１６３Ａが平面状に形成されている場合と比べて小さくなる。このため、本体部側突出部材１６３がドア部７に接触する際の応力が小さくなり、本体部側突出部材１６３がドア部７に接触した際の損傷の発生を低減できる。同時に、本体部側規制部材がローラにより構成されている場合と比べて、本体部２に対してドア部７が滑り難くなるので、第１本体部側ローラ６１が初期状態から摩耗していることを、ドア部７を開閉する操作者に容易に気付かせることができる。なお、後述する、ドア部７との接触部が平面状に形成されて突出部材と比べると、ドア部７の開閉に要する力は小さい。このため、第１本体部側ローラ６１が初期状態から摩耗していることを、ドア部７を開閉するのに大きな力が必要となることを避けつつ、ドア部７を開閉する操作者に気付かせることができる。また、同様に、ドア部側突出部材１７５における本体部２との接触部１７５Ａが曲面状に形成されているので、ドア部側突出部材１７５が本体部２に接触する際の応力が小さくなり、ドア部側突出部材１７５が本体部２に接触した際の損傷の発生を低減できる。同時に、第１ドア部側ローラ７３が初期状態から摩耗していることを、ドア部７を開閉するのに大きな力が必要となることを避けつつ、ドア部７を開閉する操作者に気付かせることができる。
【００６１】
更に、第２実施形態の食器洗浄機１Ａでは、図１４に示すように、本体部側突出部材１６３とドア部７とが接触した際に発生する応力を、軸部１６２Ｂと本体部側突出部材１６３とが互いに接触する貫通孔１６３Ｂ全体で受けることができる。言い換えれば、本体部側突出部材１６３と本体部２との固定部分に応力が集中することがなくなる。また、固定部である軸部１６２Ｂの位置から接触部１６３Ａまでの距離は、固定部を接触部１６３Ａとは反対側の端面としたときの端面の位置から接触部１６３Ａまでの距離と比べて近いので、固定部にかかる応力を相対的に小さくすることができる。これにより、本体部側突出部材１６３がドア部７に接触した際の、本体部側突出部材１６３と本体部２との固定部分における損傷の発生を低減できる。また、同様に、ドア部側突出部材１７５と本体部２とが接触した際に発生する応力を、軸部１７４Ｂとドア部側突出部材１７５とが互いに接触する貫通孔１７５Ｂ全体で受けることができるので、ドア部側突出部材１７５が本体部２に接触した際の、ドア部側突出部材１７５とドア部７との固定部分における損傷の発生を低減できる。
【００６２】
〔第３実施形態〕
次に、第３実施形態に係る食器洗浄機（洗浄機）１Ｂについて、主に図１５を参照しながら説明する。図１５に示すように、第３実施形態に係る食器洗浄機１Ｂが第２実施形態の食器洗浄機１Ａと異なる点は、ドア部７との接触部（接触想定部）１６３Ａが曲面状に形成されている本体部側突出部材１６３の代わりに、ドア部７との接触部（接触想定部）２６３Ａが平面状に形成された本体部側突出部材（本体部側規制部材）２６３を備える点と、本体部２との接触部（接触想定部）１７５Ａが曲面状に形成されているドア部側突出部材（ドア部側規制部材）１７５の代わりに、本体部２との接触部（接触想定部）２７５Ａが曲面状に形成されているドア部側突出部材２７５を備える点とである。その他の構成については、第２実施形態に係る食器洗浄機１Ａと同様であるので、ここではその説明を省略する。
【００６３】
第３実施形態に係る食器洗浄機１Ｂによれば、上記第１実施形態及び第２実施形態に係る食器洗浄機１，１Ａが享受できる作用効果を奏することができる。
【００６４】
また、第３実施形態の食器洗浄機１Ｂでは、第２実施形態の食器洗浄機１Ａの本体部側突出部材１６３及びドア部側突出部材１７５を、ドア部７との接触部２６３Ａが平面状に形成されている本体部側突出部材２６３及び本体部２との接触部２７５Ａが曲面状に形成されているドア部側突出部材２７５に、それぞれ代えたことにより、以下の効果を奏する。すなわち、接触部２６３Ａが平面状に形成されているので、接触部２６３Ａが曲面状に形成されている場合と比べてドア部７に接触する面積が大きくなる。これにより、本体部側突出部材２６３がドア部７に接触した場合に滑り難くなる。この結果、第１本体部側ローラ６１が初期状態から摩耗していることを、ドア部７を開閉する操作者に容易に気付かせることができる。また、同様に、接触部２７５Ａが平面状に形成されているので、第１ドア部側ローラ７３が初期状態から摩耗していることを、ドア部７を開閉する操作者に容易に気付かせることができる。
【００６５】
以上、第１〜第３実施形態について説明したが、本発明は、上記実施形態に限られるものではなく、発明の趣旨を逸脱しない範囲で種々の変更が可能である。
【００６６】
＜第１変形例＞
上記第１実施形態の食器洗浄機１では、第１本体部側ローラ６１及び第１ドア部側ローラ７３の近傍に、ローラである第２本体部側ローラ６３及び第２ドア部側ローラ７５をそれぞれ配置した例、上記第２実施形態の食器洗浄機１Ａでは、第１本体部側ローラ６１及び第１ドア部側ローラ７３の近傍に、接触部（接触想定部）が曲面状である突出部材である本体部側突出部材１６１及びドア部側突出部材１７５をそれぞれ配置した例、上記第３実施形態の食器洗浄機１Ｂでは、第１本体部側ローラ６１及び第１ドア部側ローラ７３の近傍に、接触部（接触想定部）が平面状である突出部材である本体部側突出部材２６３及びドア部側突出部材２７５をそれぞれ配置した例を挙げて説明したが、本発明はこれに限定されるものではない。第１本体部側ローラ６１及び第１ドア部側ローラ７３の近傍に配置される本体部側規制部材及びドア部側規制部材は、共に同じ形状（構造）の部材の組合せだけでなく、（ａ）「ローラ」及び「ドア部７との接触部が曲面状である突出部材」の組み合わせ、（ｂ）「ローラ」及び「ドア部７との接触部が平面状である突出部材」の組み合わせ、（ｃ）「ドア部７との接触部が平面状である突出部材」及び「ドア部７との接触部が曲面状である突出部材」の組み合わせの何れか１つとしてもよい。
【００６７】
＜第２変形例＞
上記第１〜第３実施形態及び上記変形例では、第１本体部側ローラ６１のやや下方に隣接して本体部側規制部材（第２本体部側ローラ６３、本体部側突出部材１６３，２６３）が配置される例を挙げて説明したが、本発明はこれに限定されるものではない。第１本体部側ローラ６１の近傍に配置される本体部側規制部材は、例えば、第１本体部側ローラ６１の上側、左側及び右側などに配置されてもよい。
【００６８】
また、上記第１〜第３実施形態及び上記変形例では、第１ドア部側ローラ７３のやや上方に隣接してドア部側規制部材（第２ドア部側ローラ７５、ドア部側突出部材１７５，２７５）が配置される例を挙げて説明したが、本発明はこれに限定されるものではない。第１ドア部側ローラ７３の近傍に配置される本体部側規制部材は、例えば、第１ドア部側ローラ７３の下側、左側及び右側などに配置されてもよい。
【００６９】
＜第３変形例＞
上記第２実施形態及び上記変形例では、ドア部７との接触部１６３Ａ，１７５Ａが曲面状である本体部側突出部材１６３及びドア部側突出部材１７５がそれぞれ軸部（軸部１６２Ｂ，１７４Ｂ）によって貫通された状態で固定される例を挙げて説明したが、本発明はこれに限定されるものではない。例えば、図１６に示すように、本体部側突出部材１６３は、背面側のローラ固定部５９Ｂにねじなどの締結部材によって固定され、ドア部側突出部材１７５は、背面側のフレーム本体部７１Ｂにねじなどの締結部材によって固定されてもよい。
【００７０】
また、上記第２実施形態及び上記変形例で説明した、ドア部７との接触部２６３Ａが平面状である本体部側突出部材２６３、本体部２との接触部２７５Ａが平面状であるドア部側突出部材２７５についても、同様である。
【００７１】
＜その他の変形例＞
上記第１実施形態及び上記変形例では、第１本体部側ローラ６１、第２本体部側ローラ６３及び第３本体部側ローラ６５が取付部材５９を介して本体部２に含まれる第２フレーム５３に固定される例を挙げて説明したが、本発明はこれに限定されるものではなく、直接第２フレーム５３に固定される構成であってもよい。上記第１実施形態及び上記変形例に係る第１本体部側ローラ６１、本体部側突出部材１６５及び第３本体部側ローラ６５についても同様である。また、上記第３実施形態及び上記変形例に係る第１本体部側ローラ６１、本体部側突出部材２６５及び第３本体部側ローラ６５についても同様である。
【符号の説明】
【００７２】
１，１Ａ，１Ｂ…食器洗浄機（洗浄機）、２…本体部、２Ａ…上側部分、２Ｂ…下側部分、３…洗浄室、４…機械室、５…支柱、７…ドア部、８Ａ…ハンドル、８Ｄ…支点、５０…本体フレーム、５１…第１フレーム、５３…第２フレーム、５４…ガイド部、５５…本体部側転動面、５７…背面パネル、５９…取付部材、６１…第１本体部側ローラ（本体部側ローラ）、６２Ａ…軸部、６３…第２本体部側ローラ（本体部側規制部材）、６５…第３本体部側ローラ、７１…ドアフレーム、７２…筐体部、７３…第１ドア部側ローラ（ドア部側ローラ）、７４Ａ…軸部、７５…第２ドア部側ローラ（ドア部側規制部材）、７６…ドア部側転動面、７７…第３ドア部側ローラ、１６２Ｂ…軸部（本体部側軸部）、１６３…本体部側突出部材（本体部側規制部材）、１７４Ｂ…軸部（ドア部側軸部）、１７５…ドア部側突出部材（ドア部側規制部材）、２６３…本体部側突出部材（本体部側規制部材）、２７５…ドア部側突出部材（ドア部側規制部材）。
【図１】
2015159995.tif 000003
【図２】
2015159995.tif 000004
【図３】
2015159995.tif 000005
【図４】
2015159995.tif 000006
【図５】
2015159995.tif 000007
【図６】
2015159995.tif 000008
【図７】
2015159995.tif 000009
【図８】
2015159995.tif 000010
【図９】
2015159995.tif 000011
【図１０】
2015159995.tif 000012
【図１１】
2015159995.tif 000013
【図１２】
2015159995.tif 000014
【図１３】
2015159995.tif 000015
【図１４】
2015159995.tif 000016
【図１５】
2015159995.tif 000017
【図１６】
2015159995.tif 000018